(57)【特許請求の範囲】
【請求項１】
ケーブルハーネスコネクタとセンサとの間の接続のためのカップリングコネクタ（１）であって、ハウジング（２）、つまり、基体（３）とカバーエレメント（４）とが設けられており、電気的な構成部材が設けられており、該構成部材が、ハウジング（２）内に挿入可能であると共に位置固定可能であり、センサのトリミングのための抵抗（６）が設けられており、該抵抗（６）を当該カップリングコネクタ（１）内に取り付けることができるようになっているかまたは別のコンタクトエレメントを介して当該カップリングコネクタ（１）の外部に取り付けることができるようになっており、カバーエレメント（４）が、一次ロック位置（前係止位置）と、カバーエレメント（４）と協働する二次ロック位置（終端位置）とを有しており、カバーエレメント（４）にシール部材（１１）が設けられており、該シール部材（１１）が、カバーエレメント（４）から離れる方向に向けられたシールリップ（１２）を有しており、該シールリップ（１２）が、カバーエレメント（４）の前係止位置でハウジング（２）に密に結合されている形式のものにおいて、シール部材（１１）が、カバーエレメント（４）に固く結合されていることを特徴とする、ケーブルハーネスコネクタとセンサとの間の接続のためのカップリングコネクタ。
【請求項２】
シール部材（１１）が、カバーエレメント（４）に射出成形により一体に成形されている、請求項１記載のカップリングコネクタ。
【請求項３】
シールリップ（１２）が、シール部材（１１）の残りの部分と共に一体の部材を形成している、請求項１または２記載のカップリングコネクタ。
【請求項４】
カバーエレメント（４）の前係止位置でシールリップ（１２）が、ハウジング（２）に設けられた切欠き（１３）内に進入していて、該切欠き（１３）の壁に寄りかかっていて、したがって、ハウジング（２）をシールしている、請求項１から３までのいずれか１項記載のカップリングコネクタ。
【請求項５】
カバーエレメント（４）の終端位置でシールリップ（１２）が、ハウジング（２）に設けられた切欠き（１３）内にほぼ完全に収容されるようになっており、シール部材（１１）自体が、ハウジング（２）を完全にシールしている、請求項１から４までのいずれか１項記載のカップリングコネクタ。
【発明の詳細な説明】
【０００１】
本発明は、特にプレーナ型の酸素センサに用いられるカップリングコネクタであって、
−ハウジング、つまり、基体とカバーエレメントとが設けられており、
−電気的な構成部材が設けられており、該構成部材が、ハウジング内に挿入可能であると共に位置固定可能であり、
−センサ、特にプレーナ型の広域酸素センサのための同調エレメントが設けられており、該同調エレメントを当該カップリングコネクタ内に取り付けることができるようになっているかまたは別のコンタクトエレメントを介して当該カップリングコネクタの外部に取り付けることができるようになっており、
−カバーエレメントが、同調エレメントにわたって差被せ可能であり、一次ロック位置（前係止位置）と、カバーエレメントと協働する二次ロック位置（終端位置）とを有している形式のものに関する。
【０００２】
背景技術
前述した形式のカップリングコネクタは一般的にケーブルハーネスコネクタと酸素センサとの間の接続のために形成されている。この場合、カップリングコネクタ内に設けられた接続部はセンサの同調（Ａｂｇｌｅｉｃｈ）、信号および／または加熱のために設けられている。酸素センサとλ（空気過剰率）閉ループ制御とは、今日、三元触媒と相俟って有効な排ガス浄化法を成している。たとえば排ガスシステム内にねじ込まれる酸素センサは排ガス中の酸素含有量を測定するための測定フィーラを有している。
【０００３】
残留酸素含有量は測定量として極めて好適であり、空燃比を閉ループ制御する。なぜならば、残留酸素含有量は、空気・燃料混合物（混合気）が完全に燃焼したかどうかを精確に表しているからである。
【０００４】
この場合、酸素センサは電圧信号を供給する。この電圧信号は混合気組成の目下の値を表していて、混合気変化に追従している。機関への燃料供給は、理論空燃比λ＝１が達成されるように、混合気調整装置によって酸素センサの信号に相応して閉ループ制御される。排ガスシステムの構成および使用条件に応じて、加熱式のセンサが使用されるかまたは非加熱式のセンサが使用される。さらに、酸素センサは燃料車両以外、たとえばガス機関またはオイルバーナ／ガスバーナを閉ループ制御するために使用される。
【０００５】
特に広域酸素センサはモジュール式に形成されていて、プレーナ技術と相俟って複数の機能の組込みを許容している。広域酸素センサは一般的に機能層を有している。この機能層は、多孔質の保護層と、外側電極と、センサシートと、内側電極と、基準空気通路シートと、絶縁層と、加熱エレメントと、加熱シートと、抵抗もしくは同調エレメントと、接続コンタクトとから成っている。
【０００６】
広域酸素センサは、ネルンスト濃淡セル（センサセル）と、酸素イオンを搬送するポンプセルとの組合せから成っているので、広域酸素センサは、λ＝１における理論空燃比の点だけでなく、リーンなかつリッチな領域でも極めて正確に測定することができる。
【０００７】
センサは全て個々に同調することができる。このためには、センサが、組み込まれた抵抗（「ミニハイブイッド（Ｍｉｎｉ−Ｈｙｂｒｉｄ）」）を有している。有利にはレーザビームによって行われる同調は、セラミックス基板に位置する抵抗層が適宜に除去されることによって実施される。これによって、抵抗変化が生ぜしめられ、これによって、同調が行われる。
【０００８】
１つの構成では、同調ユニットもしくは抵抗がセンサに直接配置されている。別の実施例では、抵抗が外部で、たとえばセンサに連結されたケーブルハーネスコネクタに収納されている。
【０００９】
従来、同調は、抵抗が組み込まれたカップリングコネクタのハウジングがカバーエレメントなしに同調箇所に搬送されることによって行われた。次いで、同調のための適宜なレーザ加工後、別の組付け箇所でカバーエレメントが差し被せられた。
【００１０】
湿分、汚物またはこれに類するものがカップリングコネクタ内に侵入することを阻止しかつカップリングコネクタの内部に適宜な雰囲気が形成されることを保証するためには、カバーエレメントが付加的なシール部材を有している。さらに、カップリングコネクタのハウジングには圧力補償エレメントが配置されている。
【００１１】
背景技術の欠点
しかし、シール部材は、カバーエレメントがその終端位置（二次ロック位置）で係止された場合にしかシールの機能を引き受けていない。同調箇所へのカップリングコネクタの搬送時には、カバーエレメントはまだ完全に取り外されているかまたはカップリングコネクタのハウジングに載置している。この場合、カバーエレメントはハウジングに係止されていない。なぜならば、カバーエレメントは同調エレメントの同調のために再び取り外されなければならないからである。したがって、特にカップリングコネクタの搬送時には、粉塵、汚物または湿分がハウジング内に侵入し、したがって、カップリングコネクタの機能が損なわれ得る危険がある。
【００１２】
発明の課題
本発明の課題は、特にプレーナ型の広域酸素センサのために設けられたカップリングコネクタの構成を改良して、カップリングコネクタが極めて廉価に製作可能であり、これによって、公知先行技術の欠点が回避されるようにすることである。
【００１３】
課題の解決手段
この課題の解決手段は、カバーエレメントにシール部材が設けられており、該シール部材が、カバーエレメントから離れる方向に向けられたシールリップを有しており、該シールリップが、カバーエレメントの前係止位置でハウジングに密に結合されていることにある。
【００１４】
発明の利点
本発明の主要な利点は、ここで本発明により提案されたカップリングコネクタが小構造に形成されていることにある。なぜならば、コンパクトな構造、つまり、基体内への電気的なコンタクトの挿入および同じくカップリングコネクタ内への同調エレメントの配置に基づき、有利にはケーブルハーネスと酸素センサとの間に配置されたカップリングコネクタの外側寸法が極めて小さくなっているからである。
【００１５】
さらに、ここで本発明により付与されたカップリングコネクタが少ない構成部材しか有していないことが有利であると分かった。これによって、廉価なかつ効果的な製造が可能となる。
【００１６】
基体が完全にカバーエレメントによって取り囲まれているので、カバーエレメントの内部へのシールリップの配置によって、カップリングコネクタの内室をシールすることが可能となるので、この内室は特に粉塵、汚物または水飛沫に対してすでにカバーエレメントの前係止位置で防護されている。
【００１７】
このことは、基体へのカバーエレメントの係止も付加的に助成してる。有利には、前係止位置および終端係止位置もしくは一次ロック位置および二次ロック位置が設けられている。両位置は、カバーエレメントが係止アームを有しており、この係止アームが、カバーの閉鎖状態でクラッチコネクタの基体に当て付けられ、そこで係止突起に係止されるように形成されている。前係止位置では、カバーエレメントに設けられた環状のシール部材に配置されたシールリップが、ハウジングの側に設けられた切欠き内にすでに係合していて、したがって、少なくとも粉塵および汚物に対する防護手段を形成している。カバーエレメントをハウジングの方向にさらに押圧することによって、終端位置（二次ロック位置）への到達時に、カバーエレメントに配置された環状のシール部材が機能を発揮しかつハウジングをその外側の環境に対して完全にシールしている。有利には、シール部材は、ハウジングがカバーエレメントの終端位置で水密であるように形成されている。シールリップはこの終端位置で機能しておらず、ハウジングに設けられた切欠き内にほぼ完全に収納されている。
【００１８】
本発明の別の利点は、前述したシール部材をカバーエレメントに射出成形により一体に成形することができ、これによって、シール部材が紛失され得ないように配置されていることにある。
【００１９】
有利には、カバーエレメントがＰＢＴ（ポリブチレンテレフタレート）または等価の材料から成っている。
【００２０】
別の有利な構成は、以下の実施例の説明、特許請求の範囲および図面の簡単な説明から明らかとなる。
【００２１】
実施例の説明
以下に、本発明の実施例を図面につき詳しく説明する。
【００２２】
図１〜図５に示したカップリングコネクタ１は、基体３とカバーエレメント４とから成るハウジング２を有するようなコネクタである。
【００２３】
基体３に設けられた保持装置５には同調ユニット６が配置されている。さらに、この同調ユニット６は電気的なコンタクトエレメント７を介して、接続エレメント８を介して接続された酸素センサに接続されているかもしくはカップリングコネクタ１内に嵌め込まれたコネクタ（図示せず）に接続されている。
【００２４】
電気的なコンタクトエレメント７は、導体路に類似に成形された金属ストリップから成っている。この金属ストリップの一方の側はカップリングコネクタ１の連結可能手段９の領域で終わっている（図３参照）。
【００２５】
同調ユニット６は、大部分基体３に配置されたガイドエレメント１０を介して案内され、電気的なコンタクトエレメント７によって正しい位置に保持される。
【００２６】
カバーエレメント４はその内面に環状のシール部材１１を有している。このシール部材１１はカバーエレメント４の組付け状態でハウジング２に対応している。付加的には、カバーエレメント４から離れる方向に向けられてシール部材１１にシールリップ１２が配置されている。このシールリップ１２はその端部に向かって先細りにされている。シールリップ１２の長さは、ハウジング２へのカバーエレメント４の載置時に図４に示した前係止位置でシールリップ１２が切欠き１３内に到達し、これによって、ハウジング２のシールが形成されるように寸法設定されている。
【００２７】
図５に示したように、カバーエレメント４の終端位置が得られることによって、シールリップ１２はさらに切欠き１３内に押圧され、環状のシール部材１１とハウジング２との間に本来のシールが得られる。
【００２８】
有利には、シール部材１１とシールリップ１２とが一体の部材を形成していて、紛失され得ないようにカバーエレメント４の内面に射出成形により一体に成形されている。
【００２９】
有利には、カップリングコネクタ１はその周面に溝１４を有している。この溝１４によって、カップリングコネクタ１を、嵌込みのために設けられたホルダ内に嵌め込むことが可能となる。
【００３０】
カップリングコネクタ１の僅かな外側の寸法に基づき、カップリングコネクタ１を溝付き管内に収納することも可能となる。
【図面の簡単な説明】
【図１】終端位置におけるカバーエレメントを備えた本発明によるカップリングコネクタの斜視図である。
【図２】カバーエレメントなしの本発明によるカップリングコネクタの斜視図である。
【図３】図１に示したカップリングコネクタの縦断面図である。
【図４】図３の詳細図であり、この場合、カバーエレメントの機能がシール部材およびシールリップと共に断面図で示してあり、カバーエレメントが前係止位置に位置している。
【図５】図３の詳細図であり、この場合、カバーエレメントの機能がシール部材およびシールリップと共に断面図で示してあり、カバーエレメントが終端位置に位置している。
【符号の説明】
１  カップリングコネクタ、２  ハウジング、３  基体、４  カバーエレメント、５  保持装置、６  同調ユニット、７  コンタクトエレメント、８  接続エレメント、９  連結可能手段、１０  ガイドエレメント、１１  シール部材、１２  シールリップ、１３  切欠き、１４  溝
【図１】
0004523231.tif 000002
【図２】
0004523231.tif 000003
【図３】
0004523231.tif 000004
【図４】
0004523231.tif 000005
【図５】
0004523231.tif 000006